(57)【特許請求の範囲】
【請求項１】
グラフィカルユーザインタフェースと、
該グラフィカルユーザインタフェースの最高ナビゲーションレベルにあるカラーマネージャ選択アイコンと、
表示メニュー、プロファイル特徴づけツールをアクティブにする特徴づけツールアイコン、及びプロファイルリストウィンドウを有するカラーマネージャにおいて、前記プロファイルリストウィンドウが、前記表示メニューから選択されたフィルタ基準と一致する使用可能なプロファイルのリストと、記号名によって識別される現在のデフォルト出力プロファイルを表示するテキスト表示ボックスと、最近のアクションの確認を表示するメッセージボックスと、プロファイル対媒体割当てダイアログをアクティブにするプロファイル対媒体ボタンとを有する、前記カラーマネージャと、
を有し、
前記プロファイルリストが、
削除又は変更が不可能なシステムプロファイルとして特徴づけられる各プロファイルに対するアイコンを表示する欄と、
各プロファイルの記号名を表示する欄と、
入力及び出力を含むがこれらに限定されない各プロファイルのタイプを表示する欄と、
グレー、ＲＧＢ、ＣＭＹ及びＣＭＹＫを含むがこれらに限定されない各プロファイルの色空間を表示する欄と、
各プロファイルの説明を表示する欄と、
を更に有する、カラーマネージャの高レベルなナビゲーションシステム。
【請求項２】
グラフィカルユーザインタフェースを表示するステップと、
該グラフィカルユーザインタフェースの最高ナビゲーションレベルにカラーマネージャアイコンを表示するステップと、
少なくとも１つの選択肢をユーザに提供するオプションを前記カラーマネージャに表示するステップにおいて、
前記少なくとも１つの選択肢が、
表示メニュー内の、全ての使用可能なプロファイルを表示させるフィルタの選択、宛先プロファイルだけを表示させるフィルタの選択、ソースプロファイルだけを表示させるフィルタの選択、装置グレーソースプロファイルだけを表示させるフィルタの選択、装置ＲＧＢソースプロファイルだけを表示させるフィルタの選択、装置ＣＭＹソースプロファイルだけを表示させるフィルタの選択、及び、装置ＣＭＹＫソースプロファイルだけを表示させるフィルタの選択の少なくとも１つのオプションの選択、
プロファイル特徴づけツールをアクティブにする特徴づけツールアイコンの選択、及び
削除又は変更が不可能なシステムプロファイルとして特徴づけられる各プロファイルに対するアイコンを表示する欄と、各プロファイルの記号名を表示する欄と、入力及び出力を含むがこれらに限定されない各プロファイルのタイプを表示する欄と、グレー、ＲＧＢ、ＣＭＹ及びＣＭＹＫを含むがこれらに限定されない各プロファイルの色空間を表示する欄と、各プロファイルの説明を表示する欄とを表示する前記表示メニューから選択されたフィルタ基準と一致する使用可能なプロファイルのリストを表示するステップと、現在のデフォルト出力プロファイルの記号名を示すテキスト表示ボックスを表示するステップと、最近のアクションの確認を示すメッセージボックスを表示するステップと、プロファイル対媒体割当てダイアログをアクティブにするプロファイル対媒体ボタンを表示するステップと、を含むプロファイルリストウィンドウの選択
の少なくとも１つである、前記少なくとも１つの選択肢をユーザに提供するオプションを前記カラーマネージャに表示するステップと、
を有する、高レベルなナビゲーションシステムを用いたカラー管理方法。
【発明の詳細な説明】
【０００１】
【発明の属する技術分野】
本発明は、ユーザが、複数のフルカラーＩＯＴ用の共通コントローラで用いられるカラープロファイルを収集及び管理するための、グラフィカルでインタラクティブなユーザインタフェースに関する。
【０００２】
【従来の技術】
益々求め易く手に入り易くなっているコンピュータ制御のカラープリント及び複製システムにより、文書をよく使う産業及び企業内の文書をよく使う部署において、色をより幅広く使用することが促進される。様々な表色系をサポートする環境で色を効果的に使ってカラー表示及びプリント資料を作成するには、ネットワーク環境でプリント用のデータを提出する管理ユーザ及びエンドユーザの両方にとって使い易く効果的且つ生産的な環境を維持するために、色の規格の収集及び管理の複雑さを低減することが必要である。
【０００３】
カラープロファイルは、カラー管理システムに、装置固有の色空間と装置に依存しない均等な色空間との間でのカラーデータの変換に必要な情報を供給する。例えば、ＩＣＣ(International Color Consortium) 規格ICC.1:1998-09は、カラー装置を、入力装置、表示装置及び出力装置の３つに広く分類している。各装置クラスに対して、色空間相互の間で変換を行う一連の基本アルゴリズムモデルが記載されている。
【０００４】
【発明が解決しようとする課題】
基礎となるカラーモデルの複雑さ及び量、並びに広範囲の媒体上で正確に色を再現することの必要性は、カラー収集及び管理ユーザインタフェースの複雑さに直接影響する。従来技術のグラフィカルユーザインタフェースシステムは、概して複数のプルダウンメニューで構成されており、複数のレイヤを深層へとナビゲートしてメニューシステムに到達しなければ、カラー収集及び管理機能にアクセスできなかった。これらのシステムは、選択した出力媒体上で正確な色再現をするにはどのカラープロファイルを選択すべきか知る必要があるインタフェースユーザ及びエンドユーザの両方にとって、概して非直観的であった。
【０００５】
従って、当該技術分野では、複数のフルカラーＩＯＴ用のカラープロファイルの収集及び管理のための、改良されたグラフィカルユーザインタフェースシステムが必要である。
【０００６】
【課題を解決するための手段】
カラーマネージャのグラフィカルユーザインタフェースシステム及び方法が提供される。このシステムは、グラフィカルユーザインタフェースと、該グラフィカルユーザインタフェースの最高ナビゲーションレベルにあるカラーマネージャ選択アイコンと、表示メニューを有するカラーマネージャとを含む。プロファイル特徴づけツール及びプロファイルリストウィンドウをアクティブにする特徴づけツールアイコンは、表示メニューから選択されたフィルタ基準と一致する使用可能なプロファイルのリストと、記号名によって識別される現在のデフォルト出力プロファイルを表示するテキスト表示ボックスと、最近のアクションの確認を表示するメッセージボックスと、プロファイル対媒体割当てダイアログをアクティブにするプロファイル媒体ボタンと、を含む。
【０００７】
本発明の別の態様は、上述のシステムにおいて、前記プロファイルリストが、削除又は変更が不可能なシステムプロファイルとして特徴づけられる各プロファイルに対するアイコンを表示する欄と、各プロファイルの記号名を表示する欄と、入力及び出力を含むがこれらに限定されない各プロファイルのタイプを表示する欄と、グレー、ＲＧＢ、ＣＭＹ及びＣＭＹＫを含むがこれらに限定されない各プロファイルの色空間を表示する欄と、各プロファイルの説明を表示する欄と、を更に有する。
【０００８】
本発明の更に別の態様は、高レベルなナビゲーションシステムを用いたカラー管理方法であって、グラフィカルユーザインタフェースを表示するステップと、該グラフィカルユーザインタフェースの最高ナビゲーションレベルにカラーマネージャアイコンを表示するステップと、少なくとも１つの選択肢をユーザに提供するオプションを前記カラーマネージャに表示するステップにおいて、前記少なくとも１つの選択肢が、表示メニュー内の、全ての使用可能なプロファイルを表示させるフィルタの選択、宛先プロファイルだけを表示させるフィルタの選択、ソースプロファイルだけを表示させるフィルタの選択、装置グレーソースプロファイルだけを表示させるフィルタの選択、装置ＲＧＢソースプロファイルだけを表示させるフィルタの選択、装置ＣＭＹソースプロファイルだけを表示させるフィルタの選択、及び、装置ＣＭＹＫソースプロファイルだけを表示させるフィルタの選択の少なくとも１つのオプションの選択、プロファイル特徴づけツールをアクティブにする特徴づけツールアイコンの選択、及び、削除又は変更が不可能なシステムプロファイルとして特徴づけられる各プロファイルに対するアイコンを表示する欄と、各プロファイルの記号名を表示する欄と、入力及び出力を含むがこれらに限定されない各プロファイルのタイプを表示する欄と、グレー、ＲＧＢ、ＣＭＹ及びＣＭＹＫを含むがこれらに限定されない各プロファイルの色空間を表示する欄と、各プロファイルの説明を表示する欄とを表示する前記表示メニューから選択されたフィルタ基準と一致する使用可能なプロファイルのリストを表示するステップと、現在のデフォルト出力プロファイルの記号名を示すテキスト表示ボックスを表示するステップと、最近のアクションの確認を示すメッセージボックスを表示するステップと、プロファイル対媒体割当てダイアログをアクティブにするプロファイル対媒体ボタンを表示するステップと、を含むプロファイルリストウィンドウの選択、の少なくとも１つである、前記少なくとも１つの選択肢をユーザに提供するオプションを前記カラーマネージャに表示するステップと、を有する、高レベルなナビゲーションシステムを用いたカラー管理方法である。
【０００９】
【発明の実施の形態】
次に、図面を参照する。図面は本発明の好ましい実施形態を説明することのみを目的とし、本発明を限定する目的はない。図１は、本発明が関する例示的なグラフィカルユーザインタフェース１０を示す。当然ながら、他の構成にも本発明を適用できる。
【００１０】
グラフィカルユーザインタフェース１０は、グラフィカルユーザインタフェースの最高レベルに経路バー１２を含み、経路バー１２上にはカラーマネージャアイコン１４がある。このアイコンをマウス、キーボード、又は他の指示デバイスで選択すると、カラーマネージャ１６がアクティブになる。カラーマネージャ１６内には、表示プルダウンメニュー１８、特徴づけツールアイコン２０及びカラープロファイルリストウィンドウ２２がある。
【００１１】
図２を参照するとともに引き続き図１を参照すると、同一参照番号は同様のグラフィカルインタフェース要素を示しており、カラープロファイルリストウィンドウ２２及び他の要素を詳細に説明する。表示プルダウンメニュー１８を選択すると、選択可能な表示フィルタのリスト２４が与えられる。デフォルト表示フィルタ２６は、プロファイルリスト３０に、使用可能な全てのカラープロファイル２８を表示する。表示プルダウンメニュー１８で使用可能な例示的な表示フィルタは、デフォルトフィルタの他に、宛先プロファイルのみ、ソースプロファイルのみ、装置グレープロファイルのみ、装置ＲＧＢプロファイルのみ、装置ＣＭＹプロファイルのみ、及び装置ＣＭＹＫプロファイルのみを表示するフィルタがある。カラープロファイル２８等のカラープロファイルは、カラー管理システムに、装置固有の色空間と装置に依存しない色空間との間でカラーデータを変換するのに必要な情報を供給する。例えば、ＩＣＣ(International Color Consortium)規格ICC.1:1998-09は、カラー装置を、入力装置、表示装置及び出力装置の３つに広く分類している。各装置クラスに対して、色空間相互の間で変換を行う一連の基本アルゴリズムモデルが記載されている。
【００１２】
プロファイルリスト３０は縦覧式の表示で構成されており、各行３２は使用可能なカラープロファイル２８を表し、そのカラープロファイルがシステムから供給されるプロファイルであって変更や削除ができない場合にはアイコン３６を含むアイコン欄３４を有する。プロファイルリスト３０の他の欄は、そのプロファイルがユーザによって参照される記号名４０を含む記号名欄３８と、入力及び出力等の種々のタイプ識別子４４を含むプロファイルタイプ欄４２と、グレー、ＲＧＢ、ＣＭＹ及びＣＭＹＫ等であるがこれらに限定されない種々の色空間識別子４８を有する色空間欄４６と、対応するカラープロファイル２８の説明５２を有する説明欄５０とである。記号名４０は本発明の特に有用な特徴であり、エンドユーザによる管理及び選択のためのカラープロファイル２８の参照を、従来技術のカラー管理システムで用いられている従来のファイル名よりも遥かに便利にする。
【００１３】
カラープロファイルリストウィンドウ２２の更なる構成要素は、現在のデフォルト出力プロファイル２８の記号名４０を示すテキスト表示ボックス５４と、最近のアクションの確認を表示するメッセージボックス５６と、図９に関連して詳細を述べるプロファイル対媒体割当てダイアログをアクティブにするプロファイル対媒体ボタン５８と、マウス選択、キーボード選択及び指示デバイス選択等の複数の周知の手段の任意の１つによって現在ハイライト表示されているプロファイル２８についてアクティブにされるプルダウン又は右マウスボタンメニュー６０と、から構成される。プルダウン又は右マウスボタンメニュー６０は、プロパティ変更ダイアログ選択ボタン６２、置き換えダイアログ選択ボタン６４、削除選択ボタン６６、エクスポートダイアログ選択ボタン６８、ロードダイアログ選択ボタン７０、インポートダイアログ選択ボタン７２、現在の表示をプリント選択ボタン７４、及び現在の表示を保存選択ボタン７６等の多くの選択肢を含む。各ダイアログついては後で詳細に述べる。
【００１４】
グラフィカルユーザインタフェース１０の別の特徴は、メッセージボックス８０に現在の状態を表示するとともに障害リストウィンドウ８２に任意の障害情報を表示する状態領域７８である。このように、図示しないプリンタユーザが、カラープロファイル管理及びナビゲーションを行いながら、現在の状態７８及びウィンドウ８２の任意のプリンタ障害を容易に見ることができる。
【００１５】
次に図３を参照するとともに引き続き図２を参照し、置き換えダイアログ選択ボタン６４に関するナビゲーションの態様を説明する。置き換えダイアログ選択ボタン６４を選択すると、プロファイルデータ置き換えダイアログ８４のウィンドウが開く。ダイアログ８４内には、実行するアクションを確認するＯＫボタン８６と、ダイアログ８４をキャンセルするキャンセルボタン８８と、ユーザが助けになる指示を得ることができるヘルプボタン９０とを含む、大半のグラフィカルユーザインタフェースで見受けられる通常のナビゲーションボタンがある。これらのボタンはほとんどのダイアログに現れるものであり、それらが説明されるダイアログに関する固有の機能を持たない限り、更に説明することはしない。
【００１６】
プロファイルデータダイアログ８４のウィンドウは、事前にハイライト表示されたプロファイル２８と互換性があるプロファイル２８のリストを表示するリストボックス９２も含む。リストボックス９２は、記号名欄３８と、プロファイルタイプ欄４２と、色空間欄４６と、事前にハイライト表示されたプロファイルと置き換えられるプロファイルをユーザが選択するのに必要な情報を与える説明欄５０とを含む。テキスト表示ボックス９４は、ＯＫボタン８６が選択された際に、事前にハイライト表示された、テキスト表示９６に記号名４０が示されているプロファイルと置き換えられる、リストボックス９２で選択されたプロファイルの記号名４０を示す。その後、状態メッセージ９８は進捗情報を表示する。
【００１７】
次に、図４を参照するとともに引き続き図２を参照し、ロードダイアログ選択ボタン７０に関する別の態様のナビゲーションを説明する。ロードダイアログ選択ボタン７０を選択すると、プロファイルデータロードダイアログ１００のウィンドウが開く。ダイアログ１００内には、使用可能な全ての装置から１つの入力装置を選択するのに用いる入力装置選択プルダウンメニュー１０２と、選択された入力装置上で現在選択されているディレクトリの名称を表示するディレクトリテキスト表示ボックス１０４と、選択されると、選択された入力装置の一般的なＧＵＩディレクトリナビゲーションを提供するブラウズボタン１０６とがある。ファイル名リストボックス１１２に表示されるファイル名１１０を、フィルタの指定と一致するものに制限するフィルタを指定できる、テキストフィルタボックス１０８が設けられている。各ファイル名１１０と共に、対応するサイズ１１４が表示される。ファイル名及びサイズは、それぞれファイル名欄１１６及びサイズ欄１１８に表示される。ファイル名１１０がハイライト表示されると、選択された入力装置から対応するファイルをロードするための、適用ボタン１２０を選択できる。ファイルは、ロード後にカラープロファイルリストウィンドウ２２で使用可能となる、複数のプロファイル２８を含む。上述のアクションは、複数のプロファイルデータファイル１１０をロードするために、繰り返し実行され得る。閉じるボタン１２２を選択すると、プロファイルデータロードダイアログ１００が閉じる。
【００１８】
適用ボタン１２０を選択するたびに、選択されたファイル名１１０と関連付けられた各プロファイルに対して、図５に示されているプロファイルデータロードプロパティダイアログ１２４がアクティブにされる。ダイアログ１２４は、プロファイルタイプ４４のテキスト表示１２６と、記号名４０のテキスト表示１２８と、色空間４８のテキスト表示１３０と、説明５２のテキスト表示１３２と、ボックス１２８に示されているプロファイル名を、任意にボックス５４に示される新しいデフォルトのプロファイルとする、フリップフロップチェックボックス１３４とを含む。ＯＫボタン１３６を選択すると、そのプロファイルのロードを承認する。キャンセルボタン１３８を選択すると、ボックス１２８に名称が表示されているプロファイルのロードをキャンセルする。このように、ファイル名１１０に対応するファイル内に含まれる全てのプロファイル２８ではなく、ファイル内で見出される個々のプロファイル２８を選択してロードすることができる。
【００１９】
次に、図６を参照するとともに引き続き図２を参照し、変更プロパティダイアログ選択ボタン６２に関する別の態様のナビゲーションを説明する。プロパティ変更ダイアログ選択ボタン６２を選択すると、プロファイルデータ変更プロパティダイアログウィンドウ１４０が開く。ダイアログウィンドウ１４０はプロファイルロードダイアログボックス１００と類似しており、同様に、プロファイルタイプ４４のテキスト表示１２６と、記号名４０のテキスト表示１２８と、色空間４８のテキスト表示１３０と、説明５２のテキスト表示１３２と、ボックス１２８に示されているプロファイル名を、任意にボックス５４に示される新しいデフォルトのプロファイルとする、フリップフロップチェックボックス１３４とを含む。ＯＫボタン１３６を選択すると、変更されたプロファイルのプロパティを承認する。キャンセルボタン１３８を選択すると、ボックス１２８に名称が表示されているプロファイルのいかなる変更もキャンセルする。
【００２０】
次に、図７を参照するとともに引き続き図２及び図４を参照し、インポートダイアログ選択ボタン７２に関する更に別の態様のナビゲーションを説明する。インポートダイアログ選択ボタン７２を選択すると、プロファイルデータインポートダイアログィンドウ１４０が開く。ダイアログウィンドウ１４０内には、使用可能な全ての装置から１つの入力装置を選択するのに用いる入力装置選択プルダウンメニュー１０２と、選択された入力装置上で現在選択されているディレクトリの名称を表示するディレクトリテキスト表示ボックス１０４と、選択されると、選択された入力装置の一般的なＧＵＩディレクトリナビゲーションを提供するブラウズボタン１０６とがある。ファイル名リストボックス１１２に表示されるファイル名１１０を、フィルタの指定と一致するものに制限するフィルタを指定できる、テキストフィルタボックス１０８が設けられている。各ファイル名１１０と共に、対応するサイズ１１４が表示される。ファイル名及びサイズは、それぞれファイル名欄１１６及びサイズ欄１１８に表示される。ファイル名１１０がハイライト表示されると、選択された入力装置から対応するファイルをインポートするために、適用ボタン１２０を選択できる。ファイルは、インポート後にカラープロファイルリストウィンドウ２２で使用可能となる、複数のプロファイル２８を含む。プロファイルデータロードダイアログボックス１００とプロファイルデータインポートダイアログィンドウ１４０との主な違いは、ロードダイアログは各プロファイルについてプロファイルデータロードプロパティダイアログ１２４をアクティブにして、プロファイル名及び説明ごとの変更及び承認を可能にするが、インポートダイアログは、記号名４０が重複しない限り、選択された入力ファイル内に見出される全てのプロファイルをロードする。記号名４０が重複する場合は、ポリシー１４２が呼び出される。ポリシー１４２は２つのラジアルボタン１４４及び１４６を含む。第１のボタン１４４は「尋ねる」オプションを選択し、プロファイルを重複する記号名４０と置き換えることをユーザに承認させる。第２のボタン１４６は、ユーザに尋ねずに、どの重複する記号名４０をも置き換えるオプションを提供する。上述のアクションは、複数のプロファイルデータファイル１１０をインポートするために、繰り返し実行され得る。閉じるボタン１２２を選択すると、プロファイルデータインポートダイアログ１４０が閉じる。
【００２１】
次に、図８を参照するとともに引き続き図２及び図７を参照し、インポートダイアログ選択ボタン７２と類似しているが逆である、別の態様のナビゲーションを説明する。選択された出力装置上の出力ファイルに１つ以上のプロファイル２８をエクスポートするには、ユーザはまず、プロファイルリスト３０内の、エクスポートする全てのプロファイル２８をハイライト表示しなければならない。選択したプロファイル２８をハイライト表示したら、エクスポートダイアログ選択ボタン６８が選択され、プロファイルデータエクスポートダイアログウィンドウ１５０が開く。ダイアログウィンドウ１５０内には、使用可能な全ての装置から１つの出力装置を選択するのに用いる出力装置選択プルダウンメニュー１０２と、選択された出力装置上で現在選択されているディレクトリの名称を表示するディレクトリテキスト表示ボックス１０４と、選択されると、選択された出力装置の一般的なＧＵＩディレクトリナビゲーションを提供するブラウズボタン１０６とがある。変更可能なテキストファイル名ボックス１５２が設けられており、その中で出力ファイル名を指定しなければならない。ファイル名リストボックス１１２に表示されているファイル名１１０は、出力装置上で選択されているディレクトリ内に既に存在するファイル名である。各ファイル名１１０と共に、対応するサイズ１１４が表示される。ファイル名及びサイズは、それぞれファイル名欄１１６及びサイズ欄１１８に表示される。ファイル名ボックス１５２にファイル名が与えられたら、事前にハイライト表示されたプロファイル２８をボックス１５２内のファイル名を有する選択された出力装置にエクスポートするために、ＯＫボタン１５４を選択できる。キャンセルボタン１５６を選択すると、いかなるプロファイル２８もエクスポートせずに、プロファイルデータエクスポートダイアログ１５０を閉じる。
【００２２】
次に、図９を参照するとともに引き続き図２を参照する。プロファイル対媒体ボタン５８を選択すると、各プロファイル２８を少なくとも１つの媒体タイプに１対多の関係で割当てるのを容易にする、プロファイル対媒体割当てダイアログウィンドウ１６０が開く。本発明のこの特徴は、１つのプロファイル２８の指定を、その指定で良好な結果が得られる全ての媒体タイプで用いることを可能にする。従来技術のカラー管理方法では、各媒体タイプに対して１つのプロファイルが定義され、多くの冗長なプロファイルが作成される。
【００２３】
ダイアログ１６０は、既存のプロファイル割当てを示すリスト表示１６２を含み、リスト表示１６２内の各行は、１つのプロファイル対媒体割当て１６４に対応する。リスト表示１６２は縦覧式の表示であり、本実施形態では１つの媒体タイプに対するデータ要素を有する、エミュレーション１６６、用紙名１６８、用紙色１７０、用紙白色点１７２、用紙重量１７４、用紙コーティング１７６及び用紙不透明度１７８の複数の欄を含む。これらの要素の全て又は一部のサブグループを用いる他のシステムを設計してもよいことを理解されたい。リスト表示１６２は、前記媒体タイプが割当てられているプロファイル記号名４０用のプロファイル欄１８０を更に含む。図９に示されている例示的な割当てでは、プロファイル記号名「XRX.Color98」１８２が、リスト表示１６２の残りの欄に示されている対応するデータ要素を勿論有する用紙名「XeroxXpres」１８４に割当てられている。
【００２４】
次に、図１０を参照するとともに引き続き図９を参照すると、プロファイル対媒体割当てダイアログ１６０は、プルダウン表示メニュー１８６及びプルダウン又は右マウスボタンメニュー１８８を更に含む。プルダウンメニュー１８６を選択すると、使用可能フィルタのリスト１９０が表示される。表示されたフィルタの１つを選択すると、リスト表示１６２には、フィルタ基準を満足する割当て１６４だけが表示される。例示的なフィルタとしては、全ての割当てを表示するフィルタ、エミュレーションのプロファイル割当てだけを表示するフィルタ、特定の用紙名のプロファイル割当てだけを表示するフィルタ、特定の用紙色のプロファイル割当てだけを表示するフィルタ、特定の用紙白色点のプロファイル割当てだけを表示するフィルタ、特定の用紙重量のプロファイル割当てだけを表示するフィルタ、特定の用紙コーティングのプロファイル割当てだけを表示するフィルタ、特定の用紙不透明度のプロファイル割当てだけを表示するフィルタ、及びアクセスプロファイル割当てだけを表示するフィルタが含まれるが、これらに限定されない。
【００２５】
右マウスボタンをクリックすると、右マウスボタンメニュー１８８が表示される。メニュー１８８は、ユーザが、割当ての削除１９２、割当ての変更１９４、割当てのエクスポート１９６、割当ての作成１９８、現在のリストのプリント２００、及び割当てのインポート２０２をできるようにする複数の選択ボタンを含む。ボタン１９２、１９４及び１９６は、適切なボタンを選択する前に、少なくとも１つのプロファイル割当て１６４がハイライト表示されることを必要とする。
【００２６】
プロファイル対媒体割当てダイアログ１６０は、リスト表示１６２に表示されているプロファイル対媒体割当て１６４をユーザが容認することを確認し、プロファイル対媒体割当てダイアログ１６０を閉じるために用いられる、ＯＫボタン２０４も含む。ユーザが、リスト表示１６２に示されているプロファイル対媒体割当て１６４の変更、削除及び作成をキャンセルすることを望む場合は、そのためにキャンセルボタン２０６が設けられている。キャンセルボタン２０６は、プロファイル対媒体割当て１６４を更新せずに、プロファイル対媒体割当てダイアログ１６０を閉じる。
【００２７】
図１１を参照するとともに引き続き図２及び図１０を参照し、プロファイル対媒体割当ての作成に関する本発明のナビゲーションの態様を説明する。右マウスボタンメニュー１８８の割当て作成１９８オプションを選択すると、プロファイル割当て作成ダイアログ２１０が開く。ダイアログ２１０は、プルダウンメニュとして、用紙名２１２、用紙コーティング２１４、用紙色２１６、用紙不透明度２１８、プレスエミュレーション２２０及びプロファイル名２２２を含む。ダイアログ２１０は、更に、変更可能テキストボックスとして、用紙重量２２４、用紙白色点ｘ値２２６及び用紙白色点ｙ値２２８を有する。プルダウンメニュー２１２、２１４、２１６、２１８及び２２０、並びにボックス２２４、２２６及び２２８は、プロファイル記号名４０を割当てることができる必要な媒体データを供給する。プルダウンメニュー２２２から適切な記号名を選択できる。上述の選択及び入力を行う際、ユーザは、プロファイル割当て作成ダイアログ２１０を閉じる際に、新しいプロファイル対媒体割当てを容認してそれをリスト表示１６２に追加させるために、ＯＫボタン２３０を選択できる。又は、ユーザは、新しいプロファイル対媒体割当ての作成をキャンセルしてプロファイル割当て作成ダイアログ２１０を閉じるために、キャンセルボタン２３２を選択できる。
【００２８】
次に、図１２を参照するとともに引き続き図２、図１０及び図１１を参照し、プロファイル対媒体割当ての変更に関する本発明のナビゲーションの別の態様を説明する。右マウスボタンメニュー１８８の割当て変更１９４オプションを選択すると、プロファイル割当て変更ダイアログ２４０が開く。ダイアログ２４０は、プロファイル割当て作成ダイアログ２１０と同じ要素、即ち、プルダウンメニューとして、用紙名２１２、用紙コーティング２１４、用紙色２１６、用紙不透明度２１８、プレスエミュレーション２２０及びプロファイル名２２２、並びに、変更可能テキストボックスとして、用紙重量２２４、用紙白色点ｘ値２２６及び用紙白色点ｙ値２２８を有する。プルダウンメニュー２１２、２１４、２１６、２１８、２２０及び２２２、並びにボックス２２４、２２６及び２２８は、まず、前にハイライト表示されたプロファイル対媒体割当て１６４に対応する媒体データ及びプロファイル記号名４０を表示する。上記のデータの任意のものを変更できる。次に、ユーザが、プロファイル割当て変更ダイアログ２４０を閉じる際、変更されたプロファイル対媒体割当てを容認してリスト表示１６２が更新されるように、ＯＫボタン２３０を選択するか、又は、プロファイル対媒体割当ての変更をキャンセルしてプロファイル割当て変更ダイアログ２４０を閉じるために、キャンセルボタン２３２を選択することができる。
【００２９】
カラープロファイル２８のように、プロファイル対媒体割当て１６４もエクスポート及びインポートすることができる。図１３を参照するとともに引き続き図７及び図１０を参照し、プロファイル対媒体割当てのインポートに関する本発明のナビゲーションの別の態様を説明する。右マウスボタンメニュー１８８の割当てインポート２０２オプションを選択すると、プロファイル割当てインポートダイアログ２５０が開く。ダイアログ２５０内には、使用可能な全ての装置から１つの入力装置を選択するのに用いる入力装置選択プルダウンメニュー１０２と、選択された入力装置上で現在選択されているディレクトリの名称を表示するディレクトリテキスト表示ボックス１０４と、選択されると、選択された入力装置の一般的なＧＵＩディレクトリナビゲーションを提供するブラウズボタン１０６とがある。ファイル名リストボックス１１２に表示されるファイル名１１０を、フィルタの指定と一致するものに制限するフィルタを指定できる、テキストフィルタボックス１０８が設けられている。各ファイル名１１０と共に、対応するサイズ１１４が表示される。ファイル名及びサイズは、それぞれファイル名欄１１６及びサイズ欄１１８に表示される。ファイル名１１０がハイライト表示されると、選択された入力装置から対応するファイルをインポートするために、適用ボタン１２０を選択できる。ファイルは、インポート後にリスト表示１６２で使用可能となる、複数のプロファイル対媒体割当て１６４を含む。ポリシー１４２は２つのラジアルボタン１４４及び１４６を含む。第１のボタン１４４は「尋ねる」オプションを選択し、入力ファイル上に重複するプロファイル１６４がある場合に重複するプロファイル１６４を置き換えることをユーザに承認させる。第２のボタン１４６は、ユーザに尋ねずに、どの重複するプロファイル１６４も置き換えるオプションを提供する。上述のアクションは、複数のプロファイル対媒体割当てファイル１１０をインポートするために、繰り返し実行され得る。閉じるボタン１２２を選択すると、プロファイル割当てインポートダイアログ２５０が閉じる。
【００３０】
次に、図１４を参照するとともに引き続き図８及び図１０を参照し、プロファイル対媒体割当てのエクスポートに関する本発明のナビゲーションの態様を説明する。右マウスボタンメニュー１８８の割当てエクスポート１９６オプションを選択すると、プロファイル割当てエクスポートダイアログ２６０が開く。選択された出力装置上の出力ファイルに１つ以上のプロファイル割当て１６４をエクスポートするには、ユーザはまず、表示リスト１６２内の、エクスポートする全てのプロファイル対媒体割当て１６４をハイライト表示しなければならない。選択した割当て１６４をハイライト表示したら、割当てエクスポート１９６オプションが選択され、プロファイル割当てエクスポートダイアログ２６０のウィンドウが開く。ダイアログ２６０内には、使用可能な全ての装置から１つの出力装置を選択するのに用いる出力装置選択プルダウンメニュー１０２と、選択された出力装置上で現在選択されているディレクトリの名称を表示するディレクトリテキスト表示ボックス１０４と、選択されると、選択された出力装置の一般的なＧＵＩディレクトリナビゲーションを提供するブラウズボタン１０６とがある。変更可能なテキストファイル名ボックス１５２が設けられており、その中で出力ファイル名を指定しなければならない。ファイル名リストボックス１１２に表示されているファイル名１１０は、出力装置上で選択されているディレクトリ内に既に存在するファイル名である。各ファイル名１１０と共に、対応するサイズ１１４が表示される。ファイル名及びサイズは、それぞれファイル名欄１１６及びサイズ欄１１８に表示される。ファイル名ボックス１５２にファイル名が与えられたら、前にハイライト表示されたプロファイル対媒体割当て１６４を、ボックス１５２内のファイル名を有する選択された出力装置にエクスポートするために、ＯＫボタン１５４を選択できる。キャンセルボタン１５６を選択すると、いかなる割当て１６４もエクスポートせずに、プロファイル割当てエクスポートダイアログ１５０を閉じる。
【００３１】
本発明は好ましい実施形態を参照して説明されてきた。他者がこの明細書を読んで理解する際、修正及び変更を思いつくことは明らかである。添付の特許請求の範囲又はそれらと同等の範囲内にある限り、そのような修正及び変更の全てを含むことを意図する。
【図面の簡単な説明】
【図１】本発明のグラフィカルユーザインタフェースシステムの、カラーマネージャが開かれておりカラープロファイルタブが選択されている状態を示す図である。
【図２】図１のグラフィカルユーザインタフェースシステムの、表示メニューが開かれ右マウスクリックメニューが開かれている状態を示す図である。
【図３】プロファイルデータ置き換えダイアログを示す図である。
【図４】プロファイルデータロードダイアログを示す図である。
【図５】プロファイルデータロードプロパティダイアログを示す図である。
【図６】プロファイルデータプロパティ変更ダイアログを示す図である。
【図７】プロファイルデータインポートダイアログを示す図である。
【図８】プロファイルデータエクスポートダイアログを示す図である。
【図９】プロファイル対媒体割当てダイアログを示す図である。
【図１０】図９のプロファイル対媒体割当てダイアログの、表示メニューが開かれ右マウスクリックメニューが開かれている状態を示す図である。
【図１１】プロファイル割当て作成ダイアログを示す図である。
【図１２】プロファイル割当て変更ダイアログを示す図である。
【図１３】プロファイル割当てインポートダイアログを示す図である。
【図１４】プロファイル割当てエクスポートダイアログを示す図である。
【符号の説明】
１０    グラフィカルユーザインタフェース
１４    カラーマネージャアイコン
１６    カラーマネージャ
１８    表示プルダウンメニュー
２０    特徴づけツールアイコン
２２    カラープロファイルリストウィンドウ
【図１】
0004783517.tif 000002
【図２】
0004783517.tif 000003
【図３】
0004783517.tif 000004
【図４】
0004783517.tif 000005
【図５】
0004783517.tif 000006
【図６】
0004783517.tif 000007
【図７】
0004783517.tif 000008
【図８】
0004783517.tif 000009
【図９】
0004783517.tif 000010
【図１０】
0004783517.tif 000011
【図１１】
0004783517.tif 000012
【図１２】
0004783517.tif 000013
【図１３】
0004783517.tif 000014
【図１４】
0004783517.tif 000015